(57)【要約】【課題】  使用者の胸部と背中に同時に送風することで、体の血流の多い領域を冷やし、これにより体全体を冷やすことができるようにした携帯式衣服内送風機を提供する。【解決手段】  使用者が着用している衣服の中に送風するための携帯式衣服内送風機であり、携帯式電源によって駆動される送風ファンが内蔵された送風ファン本体部と、前記ファン本体部に接続され内部に風が通る通風部を有する略Ｕ字状チューブ本体と、前記略Ｕ字状チューブ本体の基端部に設けられ且つ使用者の背面に沿って略鉛直方向に送風する背面送風孔を備えてなる、衣服の後衿ぐりに引掛けられる後衿ぐり引掛け部と、前記略Ｕ字状チューブ本体の可撓性チューブアーム部に設けられ且つ使用者の胸面に沿って少なくとも略水平方向に送風する胸面送風孔を備えてなる、胸面側垂れ下がり部と、を含む、携帯式衣服内送風機とした。【選択図】図１
2018109370.tif 000002
【特許請求の範囲】
【請求項１】
使用者が着用している衣服の中に送風するための携帯式衣服内送風機であり、
携帯式電源によって駆動される送風ファンが内蔵された送風ファン本体部と、
前記ファン本体部に接続され内部に風が通る通風部を有する略Ｕ字状チューブ本体と、
前記略Ｕ字状チューブ本体の基端部に設けられ且つ使用者の背面に沿って略鉛直方向に送風する背面送風孔を備えてなる、衣服の後衿ぐりに引掛けられる後衿ぐり引掛け部と、
前記略Ｕ字状チューブ本体の可撓性チューブアーム部に設けられ且つ使用者の胸面に沿って少なくとも略水平方向に送風する胸面送風孔を備えてなる、胸面側垂れ下がり部と、
を含む、携帯式衣服内送風機。
【請求項２】
前記後衿ぐり引掛け部が、前記送風ファン本体部と平行に設けられることで、前記後衿ぐり引掛け部及び前記送風ファン本体部が、側面視がフック状のフック状部材とされてなる、請求項１記載の携帯式衣服内送風機。
【請求項３】
前記背面送風孔が、前記後衿ぐり引掛け部の先端に形成されてなる、請求項１又は２記載の携帯式衣服内送風機。
【請求項４】
前記略Ｕ字状チューブ本体の可撓性チューブアーム部が可撓性扁平チューブアーム部であり、前記胸面送風孔が前記可撓性扁平チューブアーム部に設けられた前記胸面側垂れ下がり部の少なくとも両側端面に形成されてなる、請求項１〜３いずれか１項記載の携帯式衣服内送風機。
【発明の詳細な説明】
【技術分野】
【０００１】
本発明は、使用者が着用している衣服の中に送風するための携帯式衣服内送風機に関する。
【背景技術】
【０００２】
従来、使用者の首などに掛けて使用する携帯式の送風機や扇風機が知られている。このようなタイプの携帯式の送風機としては、例えば特許文献１に示すものがある。
【０００３】
従来の首などに掛けて使用するタイプの携帯式の送風機は、特許文献１の図６に示されるように、使用者の顔や首に向かって風を送ることを主眼としており、顔や首に向かって風を送ることで涼感を得ようとするものである。従って、体の体温が下がるわけではない。
【０００４】
また、例えば特許文献２に示す空調機構を備えた衣服も知られている。このような空調機構を備えた衣服では、決まった衣服しか着ることができないという不便さがある。
【０００５】
さらに、首や頭に風を当てる携帯式の送風機なども存在するが、体全体を冷やすのではなく、頭部を局所的に冷やすものに過ぎない。
【先行技術文献】
【特許文献】
【０００６】
【特許文献１】実用新案登録第３１６５５０３号
【特許文献２】ＷＯ０２／０６７７０８
【発明の概要】
【発明が解決しようとする課題】
【０００７】
本発明者は、熱中症などの治療で、脇の下などの太い血管が通っている箇所に冷却材などを当てて体温を下げることが行われていることに鑑みて、血液量の多い箇所に風を送ることで、体温を下げることを見いだし、本発明を完成させた。
【０００８】
すなわち、本発明は、使用者の胸部と背中に同時に送風することで、体の血流の多い領域を冷やし、これにより体全体を冷やすことができるようにした携帯式衣服内送風機を提供することを目的とする。
【課題を解決するための手段】
【０００９】
上記課題を解決するため、本発明の携帯式衣服内送風機は、使用者が着用している衣服の中に送風するための携帯式衣服内送風機であり、携帯式電源によって駆動される送風ファンが内蔵された送風ファン本体部と、前記送風ファン本体部に接続され内部に風が通る通風部を有する略Ｕ字状チューブ本体と、前記略Ｕ字状チューブ本体の基端部に設けられ且つ使用者の背面に沿って略鉛直方向に送風する背面送風孔を備えてなる、衣服の後衿ぐりに引掛けられる後衿ぐり引掛け部と、前記略Ｕ字状チューブ本体の可撓性チューブアーム部に設けられ且つ使用者の胸面に沿って少なくとも略水平方向に送風する胸面送風孔を備えてなる、胸面側垂れ下がり部と、を含む、携帯式衣服内送風機である。
【００１０】
前記後衿ぐり引掛け部が、前記送風ファン本体部と平行に設けられることで、前記後衿ぐり引掛け部及び前記送風ファン本体部が、側面視がフック状のフック状部材とされてなるのが好適である。
【００１１】
前記背面送風孔が、前記後衿ぐり引掛け部の先端に形成されてなるのが好適である。
【００１２】
前記略Ｕ字状チューブ本体の可撓性チューブアーム部が可撓性扁平チューブアーム部であり、前記胸面送風孔が前記可撓性扁平チューブアーム部に設けられた前記胸面側垂れ下がり部の少なくとも両側端面に形成されてなるのが好適である。
【発明の効果】
【００１３】
本発明によれば、使用者の胸部と背中に同時に送風することで、体の血流の多い領域を冷やし、これにより体全体を冷やすことができるようにした携帯式衣服内送風機を提供することができるという著大な効果を有する。
【図面の簡単な説明】
【００１４】
【図１】本発明の一つの実施の形態に係る携帯式衣服内送風機を使用している状態を示す斜視概略説明図である。
【図２】本発明の一つの実施の形態に係る携帯式衣服内送風機を使用している状態を示す側面概略説明図である。
【図３】本発明の一つの実施の形態に係る携帯式衣服内送風機であって胸面側垂れ下がり部が垂れ下がっていない状態を示す正面図である。
【図４】図３のＡ−Ａ線断面図である。
【図５】図３の背面図である。
【図６】図３の平面図である。
【発明を実施するための形態】
【００１５】
以下に本発明の実施の形態を説明するが、これら実施の形態は例示的に示されるもので、本発明の技術思想から逸脱しない限り種々の変形が可能なことはいうまでもない。
【００１６】
図１〜３及び５〜６において、符号１０は本発明に係る携帯式衣服内送風機を示す。携帯式衣服内送風機１０は、使用者Ｕが着用している衣服１２の中に送風するための携帯式衣服内送風機である。
【００１７】
携帯式衣服内送風機１０は、携帯式電源によって駆動される送風ファンが内蔵された送風ファン本体部１４と、前記送風ファン本体部１４に接続され内部に風が通る通風部１６を有する略Ｕ字状チューブ本体１８と、を有する。
【００１８】
また、携帯式衣服内送風機１０は、前記略Ｕ字状チューブ本体１８の基端部２０に設けられ且つ使用者の背面２２に沿って略鉛直方向に送風する背面送風孔２４を備えてなる、衣服１２の後衿ぐり２６に引掛けられる後衿ぐり引掛け部２８を有する。
【００１９】
本発明において、後衿ぐりとは、衣服の首周りのライン（ネックライン）の後ろのことを指す。即ち、本発明では、衣服の首周りのラインである衿ぐりの後ろ側部分を後衿ぐりと呼んでいる。
【００２０】
また、使用者Ｕが着用している衣服１２は、襟付きシャツに限定されるものではなく、体に着用する衣服であれば、いずれも含まれる。例えば、Ｔシャツ、カットソー、肌着、下着、インナーシャツ、Ｙシャツ、襟付きシャツ、襟なしシャツ、ジャケット、ブルゾン、コート、上着、等の首周りのラインが存在する被服であれば、いずれも衣服１２に含まれる。衣服１２の首周りのラインも、ラウンドネック、Ｖネック、クルーネック、ボートネック、Ｕネック、ヘンリーネック、等いずれの首周りのラインも含まれる。
【００２１】
さらに、携帯式衣服内送風機１０は、前記略Ｕ字状チューブ本体１８の可撓性チューブアーム部３０に設けられ且つ使用者の胸面３２に沿って少なくとも略水平方向に送風する胸面送風孔３４を備えてなる、胸面側垂れ下がり部３６と、をさらに有する構成とされている。
【００２２】
胸面側垂れ下がり部３６は、図２によく示されるように、衣服１２の中に入れて使用するものである。図１の図示例では、便宜上、衣服１２の図示を省略してある。
【００２３】
背面送風孔２４からの送風は、図１において矢印Ａ１で示されるように略鉛直方向への送風となる。背面送風孔２４は、複数個設けてもよく、図示例では図３によく示されるように３箇所形成されている。
【００２４】
また、胸面送風孔３４からの送風は、図１において矢印Ａ２で示されるように少なくとも略水平方向への送風となる。胸面送風孔３４からの送風の矢印Ａ２で鉛直方向へのものもあるが、大部分は略水平方向への送風とされており、少なくとも略水平方向への送風となっていることがわかる。
【００２５】
携帯式電源としては、充電池が送風ファン本体部１４内部に設けられており、外部電源から接続ポート３８を介して充電することができる。接続ポート３８の例としては、ＵＳＢポートの例を示した。
【００２６】
符号４０は電源スイッチであり、電源スイッチ４０によって電源のオン／オフが可能とされている。また、送風ファン本体部１４には、空気取り入れ口４８も形成されている。
【００２７】
可撓性チューブアーム部３０は、ゴム製であり可撓性を有しており、胸面３２側に垂れさがった部分は胸面側垂れ下がり部３６を形成する。可撓性チューブアーム部３０の材質としては、可撓性を有していれば良いものであるが、例えば、天然ゴムや合成ゴムといったゴムのほかにも、シリコン、プラスチックやビニールなどの合成樹脂で作製することができる。
【００２８】
可撓性チューブアーム部３０には、使用者の胸面３２に沿って少なくとも略水平方向に送風する胸面送風孔３４が設けられている。前記胸面送風孔３４は前記胸面側垂れ下がり部３６の少なくとも両側端面に形成されており、図示例では、胸面送風孔３４は可撓性チューブアーム部３０の先端部にも設けられている。胸面送風孔３４は、使用者Ｕの胸面３２に沿って少なくとも略水平方向に送風するための孔である。胸面送風孔３４は複数個設けられるが、図示例では、前記胸面側垂れ下がり部３６の両側端面にそれぞれ３箇所、可撓性チューブアーム部３０の先端部にそれぞれ１箇所形成されている例を示した。
【００２９】
前記後衿ぐり引掛け部２８は、前記送風ファン本体部１４と平行に設けられることで、前記後衿ぐり引掛け部２８及び前記送風ファン本体部１４が、側面視がフック状のフック状部材４２とされてなる（図２参照）。このようにして、図示例では、図２によく示されるように、前記後衿ぐり引掛け部２８を後衿ぐり２６に引掛けることができるようにされている。
【００３０】
前記背面送風孔２４は、図示例では、前記後衿ぐり引掛け部２８の先端に形成されている。
【００３１】
また、図示例では、前記略Ｕ字状チューブ本体１８の可撓性チューブアーム部３０は、扁平状とされており、可撓性扁平チューブアーム部４４となっている。そして、前記胸面送風孔３４は、前記可撓性扁平チューブアーム部４４に設けられた前記胸面側垂れ下がり部３６の少なくとも両側端面に形成されている。図４によく示されるように、前記可撓性扁平チューブアーム部４４の内部は風が通る通風部１６とされている。また、前記可撓性扁平チューブアーム部４４の内部にはプラスチック製の仕切板４６も形成されている。なお、前記可撓性扁平チューブアーム部４４の内部に前記仕切板４６の無い構成とすることもできる。すなわち、前記略Ｕ字状チューブ本体１８の可撓性チューブアーム部３０内に仕切板などを設けない構成としてもよいし、必要に応じて仕切板などを設ける構成としてもよい。
【００３２】
携帯式衣服内送風機１０を使用するには、まず、使用者のシャツなどの衣服１２の後衿ぐり２６に、後衿ぐり引掛け部２８を引掛け、使用者の胸面３２の側に胸面側垂れ下がり部３６を垂れ下げる。このとき、胸面側垂れ下がり部３６は衣服１２内にしまい込む（図２参照）。そして、電源スイッチ４０をオンにすると、背面送風孔２４からは略鉛直方向への送風が出て、胸面送風孔３４からの送風は少なくとも略水平方向への送風が出る。このようにして、携帯式衣服内送風機１０から使用者が着用している衣服の中に体の上半身の周面に沿った送風が行われることとなる。携帯式衣服内送風機１０は充電池を内蔵しているため、外部電源から接続ポート３８を介して充電することで繰り返しの使用が可能である。
【００３３】
上記のように構成された携帯式衣服内送風機１０は、使用者の胸部と背中に同時に送風することで、人の体の血流の多い領域を冷やことができる。これにより体全体を冷やすことができるため、体温を下げることができるのである。
【符号の説明】
【００３４】
１０：携帯式衣服内送風機、１２：衣服、１４：送風ファン本体部、１６：通風部、１８：略Ｕ字状チューブ本体、２０：基端部、２２：背面、２４：背面送風孔、２６：後衿ぐり、２８：後衿ぐり引掛け部、３０：可撓性チューブアーム部、３２：胸面、３４：胸面送風孔、３６：胸面側垂れ下がり部、３８：接続ポート、４０：電源スイッチ、４２：フック状部材、４４：可撓性扁平チューブアーム部、４６：仕切板、４８：空気取り入れ口、Ａ１：背面送風孔からの送風、Ａ２：胸面送風孔からの送風、Ｕ：使用者。
【図１】
2018109370.tif 000003
【図２】
2018109370.tif 000004
【図３】
2018109370.tif 000005
【図４】
2018109370.tif 000006
【図５】
2018109370.tif 000007
【図６】
2018109370.tif 000008